(57)【要約】【課題】従来の技術による諸問題を解決するためのＡＶ信号を処理する方法を提供する。【解決手段】ＡＶ信号を処理する方法は、（ａ）受信モジュールで第一ＡＶ信号を受信し、（ｂ）制御ユニットで第一ＡＶ信号を、受信モジュールと制御ユニットと接続されて制御ユニットに制御されるＣＯＤＥＣに伝送して第二ＡＶ信号に変換させ、（ｃ）ＣＯＤＥＣと制御ユニットと接続され、制御ユニットに制御されて第三ＡＶ信号を有する保存装置で第二ＡＶ信号を保存し、（ｄ）ステップ（ａ）から（ｃ）を実行すると同時に、制御ユニットで第三ＡＶ信号をＣＯＤＥＣに伝送し、ＣＯＤＥＣで第四ＡＶ信号に復号化させ、（ｅ）制御ユニットで第四ＡＶ信号を編集モジュールに伝送し、（ｆ）編集モジュールで第四ＡＶ信号を第五ＡＶ信号に編集するなどのステップを含む。【選択図】図４
2005057721.tif 000002
【特許請求の範囲】
【請求項１】
ＡＶ信号を処理する方法であって、該方法は、
（ａ）受信モジュールで第一ＡＶ信号を受信し、
（ｂ）制御ユニットで第一ＡＶ信号を、受信モジュールと制御ユニットと接続されて制御ユニットに制御されるＣＯＤＥＣに伝送して第二ＡＶ信号に変換させ、
（ｃ）ＣＯＤＥＣと制御ユニットと接続され、制御ユニットに制御されて第三ＡＶ信号を有する保存装置で第二ＡＶ信号を保存し、
（ｄ）ステップ（ａ）から（ｃ）を実行すると同時に、制御ユニットで第三ＡＶ信号をＣＯＤＥＣに伝送し、ＣＯＤＥＣで第四ＡＶ信号に復号化させ、
（ｅ）制御ユニットで第四ＡＶ信号を編集モジュールに伝送し、
（ｆ）編集モジュールで第四ＡＶ信号を第五ＡＶ信号に編集するなどのステップを含むことを特徴とする方法。
【請求項２】
前記第五ＡＶ信号がＣＯＤＥＣを介して第六ＡＶ信号に暗号化された後、制御ユニットで第六ＡＶ信号を保存装置に保存することを特徴とする請求項１記載の方法。
【請求項３】
前記第一ＡＶ信号が第一表示装置に表示されることを特徴とする請求項１記載の方法。
【請求項４】
前記第一表示装置が受信モジュールと接続されることを特徴とする請求項３記載の方法。
【請求項５】
前記第四ＡＶ信号と第五ＡＶ信号が第二表示装置に表示されることを特徴とする請求項１記載の方法。
【請求項６】
前記第二表示装置がＣＯＤＥＣと接続されることを特徴とする請求項５記載の方法。
【請求項７】
前記受信モジュールは、アナログＡＶ信号を受信して対応するデジタルＡＶ信号に変換するアナログ／デジタル変換器を含むことを特徴とする請求項１記載の方法。
【請求項８】
前記制御ユニットが更にＢＩＯＳを含むことを特徴とする請求項１記載の方法。
【請求項９】
ＡＶ信号を処理する方法であって、該方法は、
（ａ）受信モジュールで第一ＡＶ信号を受信し、
（ｂ）制御ユニットで第一ＡＶ信号を、受信モジュールと制御ユニットと接続されて制御ユニットに制御されるＣＯＤＥＣに伝送して第二ＡＶ信号に変換させ、
（ｃ）ＣＯＤＥＣと制御ユニットと接続されて制御ユニットに制御される保存装置で第二ＡＶ信号を保存し、
（ｄ）受信モジュールで第三ＡＶ信号を受信し、
（ｅ）制御ユニットで第三ＡＶ信号をＣＯＤＥＣに伝送して第四ＡＶ信号に変換させ、
（ｆ）保存装置で第四ＡＶ信号を保存し、
（ｇ）ステップ（ｄ）から（ｆ）を実行すると同時に、制御ユニットで第二ＡＶ信号をＣＯＤＥＣに伝送し、ＣＯＤＥＣで第五ＡＶ信号に復号化させ、
（ｈ）制御ユニットで第五ＡＶ信号を、ＣＯＤＥＣと制御ユニットと接続されて制御ユニットに制御される編集モジュールに伝送し、
（ｉ）編集モジュールで第五ＡＶ信号を第六ＡＶ信号に編集するなどのステップを含むことを特徴とする方法。
【請求項１０】
前記第一ＡＶ信号が第一表示装置に表示されることを特徴とする請求項９記載の方法。
【請求項１１】
前記第一表示装置が受信モジュールと接続されることを特徴とする請求項１０記載の方法。
【請求項１２】
前記第五ＡＶ信号と第六ＡＶ信号が第二表示装置に表示されることを特徴とする請求項９記載の方法。
【請求項１３】
前記第二表示装置がＣＯＤＥＣと接続されることを特徴とする請求項１２記載の方法。
【請求項１４】
前記受信モジュールは、アナログＡＶ信号を受信して対応するデジタルＡＶ信号に変換するアナログ／デジタル変換器を含むことを特徴とする請求項９記載の方法。
【請求項１５】
前記制御ユニットが更にＢＩＯＳを含むことを特徴とする請求項９記載の方法。
【請求項１６】
デジタルレコーダーでＡＶ信号を処理する方法であって、該方法は、
（ａ）受信モジュールで第一ＡＶ信号を受信し、
（ｂ）制御ユニットで第一ＡＶ信号を、受信モジュールと制御ユニットと接続されて制御ユニットに制御されるＣＯＤＥＣに伝送して第二ＡＶ信号に変換させ、第二ＡＶ信号を第一表示装置で表示し、
（ｃ）ＣＯＤＥＣと制御ユニットと接続されて制御ユニットに制御される保存装置で第二ＡＶ信号を保存し、
（ｄ）受信モジュールで第三ＡＶ信号を受信し、
（ｅ）制御ユニットで第三ＡＶ信号をＣＯＤＥＣに伝送して第四ＡＶ信号に変換させ、第四ＡＶ信号を第一表示装置で表示し、
（ｆ）保存装置で第四ＡＶ信号を保存し、
（ｇ）ステップ（ｄ）から（ｆ）を実行すると同時に、制御ユニットで第二ＡＶ信号をＣＯＤＥＣに伝送し、ＣＯＤＥＣで第五ＡＶ信号に復号化させ、
（ｈ）制御ユニットで第五ＡＶ信号を、ＣＯＤＥＣと制御ユニットと接続されて制御ユニットに制御される編集モジュールに伝送し、
（ｉ）編集モジュールで、第二表示装置に表示される第五ＡＶ信号を第六ＡＶ信号に編集し、
（ｊ）制御ユニットで第六ＡＶ信号をＣＯＤＥＣに伝送して第七ＡＶ信号に変換させ、
（ｋ）制御ユニットで第七ＡＶ信号を保存装置に保存するなどのステップを含むことを特徴とする方法。
【請求項１７】
前記第一表示装置がＣＯＤＥＣと接続されることを特徴とする請求項１６記載の方法。
【請求項１８】
前記第二表示装置がＣＯＤＥＣと接続されることを特徴とする請求項１６記載の方法。
【請求項１９】
前記デジタルレコーダーがデジタルカムコーダーであることを特徴とする請求項１６記載の方法。
【発明の詳細な説明】
【技術分野】
【０００１】
この発明はＡＶ（音響映像）信号に関し、特にデジタルレコーディング装置が録画すると同時に既に保存されたＡＶデータを編集する方法に関する。
【背景技術】
【０００２】
従来の録画はアナログ形式で行われていた。しかしアナログ形式の記録物は、長時間保存、重複使用及び複製による映像の歪み、収納空間の浪費、磁気ヘッドが損害しやすいなどの欠点があるため、デジタル形式に取って代わられつつある。デジタルレコーディング装置はアナログ信号をデジタル信号に変換して圧縮してから光ディスクまたはハードディスクなどの保存媒介に保存するため、そのデータをどれだけ重複使用しても長時間保存しても歪みが生じない。コンピューター技術が発展するとともに、プロセッサーの速度が向上する一方、圧縮技術の改良によって保存媒介の容量が大きくなりつつあり、デジタルビデオレコーダー（ＤＶＲ）及びデジタルカムコーダーなどのデジタルレコーディング装置が主流を占めている。
【０００３】
デジタルレコーディング装置は一般にＰＣ用設計と非ＰＣ用設計に大まかに分けられる。ＰＣ用設計のデジタルレコーディング装置は既製のコンピューター部品であってビデオカードとともに機能を発揮するものである。このようなデジタルレコーディング装置は種々のオペレーションシステム（ＯＳ）で作動し、その大部分の機能はソフトウェアに制御されて中央処理装置（ＣＰＵ）によって処理される。ＰＣ用設計のデジタルレコーディング装置は高処理能率と高拡充性を兼ね備えているが、以下のような欠点も有している。一、ハードウェアとソフトウェアの開発はそれぞれの目的によるものであるため、互換性の問題が存在する。二、ＯＳと、ドライバーと、アプリケーションが同じくハードディスクドライブ（ＨＤＤ）に保存されるため、読み取りと書き込みの問題によってファイルが損害する恐れがある。三、他部品の生産停止または品切れによって品質管理が困難である。四、ハードウェアの組み立てとソフトウェアのインストールは専門人員に頼るため、アフターサービス上の問題が起こる。
【０００４】
非ＰＣ用設計のデジタルレコーディング装置は、デジタルレコーダーまたはデジタルカムコーダーなど、機能がより簡単である閉鎖的なものである。ＣＤ、ＤＶＤプレーヤーなどの家電製品と同じように、その機能は消費者の需要によって決められるに加えて独自のシステム制御を有するため、安定性と操作簡易性に優れている。ＰＣ用設計との相違点は、その機能がハードウェアによって処理されることにある。非ＰＣ用設計のデジタルレコーディング装置は、それぞれの機能に応じてＩＣチップを使用し、制御ソフトウェアをプログラマブルＩＣまたはＲＯＭに保存することによって、プログラムが損害する恐れがない。非ＰＣ用設計の更なる特長は、従来のアナログレコーダーと同じように、プログラムインストールを要らずに簡単に取り付けられるほか、類似している操作インターフェイスを有することである。そのため、消費者の需要に適合する。
【０００５】
しかし、従来の非ＰＣ用設計デジタルレコーディング装置において、録画されたＡＶデータをＤＶＤ、ＶＣＤまたはテープなどの保存装置に保存してから、そのデータを周辺装置またはコンピューターに伝送して変換または編集するのみならず、録画が完成した後にしか編集修正できないため、便利性と効率性に欠けている。
【発明の開示】
【発明が解決しようとする課題】
【０００６】
この発明は前述の問題を解決するためのＡＶ信号を処理する方法を提供することを課題とする。
【課題を解決するための手段】
【０００７】
この発明はＡＶ信号を処理する方法を提供する。該方法は、（ａ）受信モジュールで第一ＡＶ信号を受信し、（ｂ）制御ユニットで第一ＡＶ信号を、受信モジュールと制御ユニットと接続されて制御ユニットに制御されるＣＯＤＥＣに伝送して第二ＡＶ信号に変換させ、（ｃ）ＣＯＤＥＣと制御ユニットと接続され、制御ユニットに制御されて第三ＡＶ信号を有する保存装置で第二ＡＶ信号を保存し、（ｄ）ステップ（ａ）から（ｃ）を実行すると同時に、制御ユニットで第三ＡＶ信号をＣＯＤＥＣに伝送し、ＣＯＤＥＣで第四ＡＶ信号に復号化させ、（ｅ）制御ユニットで第四ＡＶ信号を編集モジュールに伝送し、（ｆ）編集モジュールで第四ＡＶ信号を第五ＡＶ信号に編集するなどのステップを含む。
【発明の効果】
【０００８】
この発明による方法は、デジタルレコーディング装置が録画または撮影すると同時に、同じデジタルレコーディング装置で既に保存されたＡＶデータを再生または編集修正することができて、デジタルレコーディング装置の便利性と効率性を向上させる。
【発明を実施するための最良の形態】
【０００９】
かかる方法の特徴を詳述するために、具体的な実施例を挙げ、図示を参照にして以下に説明する。
【実施例１】
【００１０】
図１を参照する。図１はこの発明の実施例１によるデジタルレコーダー１０を表わす説明図である。デジタルレコーダー１０はハウジング１２を具える。第一表示装置１４と第二表示装置１６はそれぞれデジタルレコーダーと接続される。第一表示装置１４と第二表示装置１６は、テレビジョン、モニター、スピーカー付きの表示装置などの影像表示及び音声出力装置であって、デジタルレコーダー１０からのＡＶ信号を表示する。
【００１１】
図１と図２を参照する。図２はこの発明によるデジタルレコーダー１０のブロック図である。デジタルレコーダー１０は、ハウジングに設けられて外部から入力される映像及び音声信号を受信する受信モジュール１８を含む。受信モジュール１８は、受信モジュール１８に受信されたアナログＡＶ信号を対応するデジタルＡＶ信号に変換するアナログ／デジタル変換器（ＡＤＣ）１９を含む。デジタルレコーダー１０は更に、受信モジュール１８と接続されてハウジング内に設けられて外部から入力されたＡＶ信号を暗号化／復号化するコーダー／デコーダー（ＣＯＤＥＣ）２０と、ＣＯＤＥＣ２０と接続されてハウジング内に設けられてＣＯＤＥＣ２０に暗号化／復号化されたＡＶ信号を保存する保存装置２２と、ＣＯＤＥＣ２０と接続されてハウジング内に設けられてＣＯＤＥＣ２０からのＡＶ信号を編集もしくは修正する編集モジュール２４と、ＣＯＤＥＣ２０と保存装置２２と接続されてハウジング内に設けられてＣＯＤＥＣ２０、保存装置２２及び編集モジュール２４の動作を制御する制御ユニット２６とを含む。保存装置２２は、ＤＶＤドライブまたはＶＣＤドライブなどの読み取り専用記憶装置、或いはＣＦ、ＳＤ、ＭＭＣなどの形式のフラッシュメモリー、またはハードディスクドライブ（ＨＤＤ）もしくはマイクロドライバーなどの記憶装置である。制御ユニット２６は更に、デジタルレコーダー１０に必要なプログラムを提供する基本入出力システム（ＢＩＯＳ）２８を含む。そのうち第一表示装置１４はデジタルレコーダー１０の受信モジュール１８と接続され、第二表示装置１６はデジタルレコーダー１０のＣＯＤＥＣ２０と接続される。
【００１２】
図３を参照する。図３はデジタルレコーダー１０が録画及び先ほど録画されたデータの再生を同時に行うことを表わすフローチャートである。図３におけるステップは以下の通りである。
【００１３】
ステップ１００：受信モジュールで第一ＡＶ信号を受信する。
【００１４】
ステップ１０１：ステップ１００を実行した後、制御ユニットで受信モジュールに受信された第一ＡＶ信号を第一表示装置に別途出力する。
【００１５】
ステップ１０２：ステップ１００を実行した後、制御ユニットで受信モジュールに受信された第一ＡＶ信号をＣＯＤＥＣに伝送して、ＣＯＤＥＣで受信モジュールからの第一ＡＶ信号を第二ＡＶ信号に暗号化する。
【００１６】
ステップ１０４：制御ユニットでＣＯＤＥＣに暗号化された第二ＡＶ信号を保存装置に保存する。
【００１７】
ステップ１０６：制御ユニットで先ほど保存装置に保存された第三ＡＶ信号をＣＯＤＥＣに伝送する。第三ＡＶ信号はステップ１００、ステップ１０２及びステップ１０４によって生ずるか、或いは既に保存装置に保存されている。またＣＯＤＥＣで保存装置からの第三ＡＶ信号を第四ＡＶ信号に復号化する。
【００１８】
ステップ１０７：制御ユニットで第四ＡＶ信号を第二表示装置に伝送する。
【００１９】
図３におけるステップ１００、ステップ１０１、ステップ１０４を実行すると同時に、ステップ１０６及びステップ１０７を実行してもよい。言い換えれば、デジタルレコーダー１０は録画及び第一表示装置１４を介して録画中のＡＶデータを再生すると同時に、先ほど保存装置２２に保存されたＡＶ信号を読み取って第二表示装置１６を介して先ほど保存装置２２に保存されたＡＶ信号を再生することができる。よって、録画及び録画済データの再生を同時に行うことが実現できる。
【００２０】
図４を参照する。図４はデジタルレコーダー１０が録画及び先ほど録画されたデータの編集を同時に行うことを表わすフローチャートである。図４におけるステップは以下の通りである。
【００２１】
ステップ１００：受信モジュールで第一ＡＶ信号を受信する。
【００２２】
ステップ１０１：ステップ１００を実行した後、制御ユニットで受信モジュールに受信された第一ＡＶ信号を第一表示装置に別途出力する。
【００２３】
ステップ１０２：ステップ１００を実行した後、制御ユニットで受信モジュールに受信された第一ＡＶ信号をＣＯＤＥＣに伝送して、ＣＯＤＥＣで受信モジュールからの第一ＡＶ信号を第二ＡＶ信号に暗号化する。
【００２４】
ステップ１０４：制御ユニットでＣＯＤＥＣに暗号化された第二ＡＶ信号を保存装置に保存する。
【００２５】
ステップ１０６：制御ユニットで先ほど保存装置に保存された第三ＡＶ信号をＣＯＤＥＣに伝送する。第三ＡＶ信号はステップ１００、ステップ１０２及びステップ１０４によって生ずるか、或いは既に保存装置に保存されている。またＣＯＤＥＣで保存装置からの第三ＡＶ信号を第四ＡＶ信号に復号化する。
【００２６】
ステップ１０８：制御ユニットで第三ＡＶ信号を第四ＡＶ信号に復号化して第四ＡＶ信号を編集モジュールに伝送する。
【００２７】
ステップ１１０：編集モジュールでＣＯＤＥＣからの第四ＡＶ信号を第五ＡＶ信号に編集または修正する。
【００２８】
ステップ１１２：制御ユニットで編集モジュールに編集された第五ＡＶ信号をＣＯＤＥＣに伝送して、ＣＯＤＥＣで編集モジュールからの第五ＡＶ信号を第六ＡＶ信号に暗号化する。
【００２９】
ステップ１１４：制御ユニットで第六ＡＶ信号を保存装置に保存する。
【００３０】
ステップ１１１：ステップ１０６及びステップ１１０を実行した後、制御ユニットで第四ＡＶ信号及び編集モジュールに編集もしくは修正された第五ＡＶ信号を第二表示装置に伝送する。
図４におけるステップ１００、ステップ１０１、ステップ１０２、ステップ１０４を実行すると同時に、ステップ１０６、ステップ１０８、ステップ１１０、ステップ１１１、ステップ１１２及びステップ１１４を実行してもよい。言い換えれば、デジタルレコーダー１０は録画及び第一表示装置１４を介して録画中のＡＶデータを再生すると同時に、先ほど保存装置２２に保存されたＡＶ信号を読み取って第二表示装置１６を介して先ほど保存装置２２に保存されたＡＶ信号を編集することができる。よって、録画及び録画済データの編集を同時に行うことが実現できて、録画しながら録画済の部分を編集することが可能になる。
【実施例２】
【００３１】
図５を参照する。図５はこの発明の実施例２によるデジタルカムコーダー４０を表わす説明図である。デジタルカムコーダー４０はハウジング４２と、ハウジング４２に設けられる第三表示装置４４を含む。第四表示装置４６はデジタルカムコーダー４０と接続される。第四表示装置４６は、テレビジョン、モニター、スピーカー付きの表示装置などの影像表示及び音声出力装置であって、デジタルカムコーダー４０からのＡＶ信号を表示する。
【００３２】
図５と図６を参照する。図６はこの発明によるデジタルカムコーダー４０のブロック図である。デジタルレコーダー１０と同じく、デジタルカムコーダー４０は、ハウジングに設けられて外部から入力される映像及び音声信号を受信する受信モジュール４８を含む。受信モジュール４８は、外部から入力される映像光学信号を受信して電気信号に変換する電荷結合素子（ＣＣＤ）５０と、外部から入力される音声信号を受信する録音装置５２と、受信モジュール４８に受信されたアナログＡＶ信号を対応するデジタルＡＶ信号に変換するＡＤＣ１９を含む。デジタルカムコーダー４０は更に、受信モジュール４８と接続されてハウジング内に設けられて外部から入力されたＡＶ信号を暗号化／復号化するＣＯＤＥＣ２０と、ＣＯＤＥＣ２０と接続されてハウジング内に設けられてＣＯＤＥＣ２０に暗号化／復号化されたＡＶ信号を保存する保存装置２２と、ＣＯＤＥＣ２０と接続されてハウジング内に設けられてＣＯＤＥＣ２０からのＡＶ信号を編集もしくは修正する編集モジュール２４と、ＣＯＤＥＣ２０と保存装置２２と接続されてハウジング内に設けられてＣＯＤＥＣ２０、保存装置２２及び編集モジュール２４の動作を制御する制御ユニット２６とを含む。制御ユニット２６は更に、デジタルカムコーダー４０に必要なプログラムを提供するＢＩＯＳ２８を含む。そのうち第三表示装置４４はデジタルカムコーダー４０のＣＯＤＥＣ２０と接続され、第四表示装置４６もデジタルカムコーダー４０のＣＯＤＥＣ２０と接続される。
【００３３】
図７を参照する。図７はデジタルカムコーダー４０が録画撮影及び先ほど録画されたデータの再生を同時に行うことを表わすフローチャートである。図７におけるステップは以下の通りである。
【００３４】
ステップ１２０：受信モジュールのＣＣＤで外部から入力される映像光学信号を受信して電気信号に変換し、また録音装置で外部から入力される音声信号を受信することによって、第一ＡＶ信号を生ずる。
【００３５】
ステップ１２２：制御ユニットで受信モジュールに受信された第一ＡＶ信号をＣＯＤＥＣに伝送して、ＣＯＤＥＣで受信モジュールからのＡＶ信号を第二ＡＶ信号に暗号化する。
【００３６】
ステップ１２１：ステップ１２２を実行した後、制御ユニットで第二ＡＶ信号を第三表示装置に出力する。
【００３７】
ステップ１２４：制御ユニットでＣＯＤＥＣに暗号化された第二ＡＶ信号を保存装置に保存する。
【００３８】
ステップ１２６：制御ユニットで先ほど保存装置に保存された第三ＡＶ信号をＣＯＤＥＣに伝送する。第三ＡＶ信号はステップ１２０、ステップ１２２及びステップ１２４によって生ずるか、或いは既に保存装置に保存されている。またＣＯＤＥＣで保存装置からの第三ＡＶ信号を第四ＡＶ信号に復号化する。
【００３９】
ステップ１３７：制御ユニットで第四ＡＶ信号を第四表示装置に伝送する。
【００４０】
図７におけるステップ１２０、ステップ１２１、ステップ１２２、ステップ１２４を実行すると同時に、ステップ１２６及びステップ１３７を実行してもよい。言い換えれば、デジタルカムコーダー４０は録画撮影及び第三表示装置４４を介して録画中のＡＶデータを再生すると同時に、先ほど保存装置２２に保存されたＡＶ信号を読み取って第四表示装置４６を介して先ほど保存装置２２に保存されたＡＶ信号を再生することができる。よって、録画撮影及び録画済データの再生を同時に行うことが実現できる。
【００４１】
図８を参照する。図８はデジタルカムコーダー４０が録画撮影及び先ほど録画されたデータの編集を同時に行うことを表わすフローチャートである。図８におけるステップは以下の通りである。
【００４２】
ステップ１２０：受信モジュールのＣＣＤで外部から入力される映像光学信号を受信して電気信号に変換し、また録音装置で外部から入力される音声信号を受信することによって、第一ＡＶ信号を生ずる。
【００４３】
ステップ１２２：制御ユニットで受信モジュールに受信された第一ＡＶ信号をＣＯＤＥＣに伝送して、ＣＯＤＥＣで受信モジュールからのＡＶ信号を第二ＡＶ信号に暗号化する。
【００４４】
ステップ１２１：ステップ１２２を実行した後、制御ユニットで第二ＡＶ信号を第三表示装置に出力する。
【００４５】
ステップ１２４：制御ユニットでＣＯＤＥＣに暗号化された第二ＡＶ信号を保存装置に保存する。
【００４６】
ステップ１２６：制御ユニットで先ほど保存装置に保存された第三ＡＶ信号をＣＯＤＥＣに伝送する。第三ＡＶ信号はステップ１２０、ステップ１２２及びステップ１２４によって生ずるか、或いは既に保存装置に保存されている。またＣＯＤＥＣで保存装置からの第三ＡＶ信号を第四ＡＶ信号に復号化する。
【００４７】
ステップ１２８：制御ユニットで第三ＡＶ信号を第四ＡＶ信号に復号化して第四ＡＶ信号を編集モジュールに伝送する。
【００４８】
ステップ１３０：編集モジュールでＣＯＤＥＣからの第四ＡＶ信号を第五ＡＶ信号に編集または修正する。
【００４９】
ステップ１３２：制御ユニットで編集モジュールに編集された第五ＡＶ信号をＣＯＤＥＣに伝送して、ＣＯＤＥＣで編集モジュールからの第五ＡＶ信号を第六ＡＶ信号に暗号化する。
【００５０】
ステップ１３４：制御ユニットで第六ＡＶ信号を保存装置に保存する。
【００５１】
ステップ１３８：ステップ１２６及びステップ１３０を実行した後、制御ユニットで第四ＡＶ信号及び編集モジュールに編集もしくは修正された第五ＡＶ信号を第四表示装置に伝送する。
【００５２】
図８におけるステップ１２０、ステップ１２１、ステップ１２２、ステップ１２４を実行すると同時に、ステップ１２６、ステップ１２８、ステップ１３０、ステップ１３２、ステップ１３４及びステップ１３８を実行してもよい。言い換えれば、デジタルカムコーダー４０は録画撮影及び第三表示装置４４を介して録画中のＡＶデータを再生すると同時に、先ほど保存装置２２に保存されたＡＶ信号を読み取って第四表示装置４６を介して先ほど保存装置２２に保存されたＡＶ信号を編集することができる。よって、録画撮影及び録画済データの編集を同時に行うことが実現できて、録画撮影しながら録画済の部分を編集することが可能になる。
【００５３】
以上はこの発明に好ましい実施例であって、この発明の実施の範囲を限定するものではない。よって、当業者のなし得る修正、もしくは変更であって、この発明の精神の下においてなされ、この発明に対して均等の効果を有するものは、いずれもこの発明の特許請求の範囲に属するものとする。
【産業上の利用可能性】
【００５４】
この発明による方法は、デジタルレコーディング装置が録画または撮影すると同時に、同じデジタルレコーディング装置で既に保存されたＡＶデータを再生または編集修正することができて、デジタルレコーディング装置の便利性と効率性を向上させる。
【図面の簡単な説明】
【００５５】
【図１】この発明の実施例１によるデジタルレコーダーを表わす説明図である。
【図２】この発明によるデジタルレコーダーのブロック図である。
【図３】デジタルレコーダーが録画及び先ほど録画されたデータの再生を同時に行うことを表わすフローチャートである。
【図４】デジタルレコーダー１０が録画及び先ほど録画されたデータの編集を同時に行うことを表わすフローチャートである。
【図５】この発明の実施例２によるデジタルカムコーダーを表わす説明図である。
【図６】この発明によるデジタルカムコーダーのブロック図である。
【図７】デジタルカムコーダーが録画撮影及び先ほど録画されたデータの再生を同時に行うことを表わすフローチャートである。
【図８】デジタルカムコーダーが録画撮影及び先ほど録画されたデータの編集を同時に行うことを表わすフローチャートである。
【符号の説明】
【００５６】
１０            デジタルレコーダー
１２            ハウジング
１４            第一表示装置
１６            第二表示装置
１８            受信モジュール
１９            ＡＤＣ
２０            ＣＯＤＥＣ
２２            保存装置
２４            編集モジュール
２６            制御ユニット
２８            ＢＩＯＳ
４０            デジタルカムコーダー
４２            ハウジング
４４            第三表示装置
４６            第四表示装置
４８            受信モジュール
５０            ＣＣＤ
５２            録音装置
【図１】
2005057721.tif 000003
【図２】
2005057721.tif 000004
【図３】
2005057721.tif 000005
【図４】
2005057721.tif 000006
【図５】
2005057721.tif 000007
【図６】
2005057721.tif 000008
【図７】
2005057721.tif 000009
【図８】
2005057721.tif 000010